Podtech/llm-jp-corpus-v4-ja_patent huggingface dataset:
【手続補正書】
【提出日】平成20年1月16日(2008.1.16)
【手続補正１】
【補正対象書類名】明細書
【補正対象項目名】特許請求の範囲
【補正方法】変更
【補正の内容】
【特許請求の範囲】
【請求項１】
半導体加工室における加工操作によって基板を加工する方法において、
反応室内の保持器の上に基板を支持するステップ、
非接触式温度センサを使用して基板近くの温度を検知するステップ、
前記非接触式温度センサによって検知された温度に応答する少なくとも１つの温度制御装置を使用して、加工室の温度を制御するステップ、
接触式温度センサを使用して、加工操作における定常状態での加工室内の基板温度を検知するステップ、
前記接触式センサを使用した前記検知とほぼ同時に、前記非接触式センサによって基板温度を検知するステップ、
接触式センサによって検知した温度を非接触式センサによって検知した温度と比較するステップ、および
前記比較に基づく非接触式センサの検知温度に対する前記温度制御装置の応答を調節するステップを含む加工室の温度制御方法。
【請求項２】
前記制御ステップがＰＩＤ制御装置による制御を含む請求項１に記載の加工室の温度制御方法。
【請求項３】
非接触式センサが高温計を含む請求項１に記載の加工室の温度制御方法。
【請求項４】
接触式センサが熱電対を含む請求項１に記載の加工室の温度制御方法。
【請求項５】
前記制御ステップが、上昇期間中においては非接触式センサに応答し、定常状態においては接触式センサに応答する請求項１に記載の加工室の温度制御方法。
【請求項６】
前記非接触式センサによる前記検知ステップが、複数の非接触式センサを利用して加工操作における定常状態での前記基板温度を検知することを含む請求項１に記載の加工室の温度制御方法。
【請求項７】
各非接触式センサに対して１つの接触式センサが使用される請求項６に記載の加工室の温度制御方法。
【請求項８】
非接触式センサと接触式センサとを有する各対が、個別の温度制御装置によって制御される請求項７に記載の加工室の温度制御方法。
【請求項９】
前記調節ステップが加工操作の後に実施される請求項１に記載の加工室の温度制御方法。
【請求項１０】
前記加工操作は、化学蒸着を含む請求項１に記載の加工室の温度制御方法。
【請求項１１】
加工室において基板を加工する方法において、
加工室の中にウェハを置くこと、
非接触式温度センサからの温度測定値に応答する温度制御装置によって基板の温度を上昇させること、および
前記ウェハを加工する間に接触式センサにより測定される温度測定値を参照して、非接触式センサから受け取った温度に対する温度制御装置の応答を調節することを含む加工室の温度制御方法。
【請求項１２】
加工の定常状態の間に取られる前記接触式センサからの温度測定値を参照して調節が行われる請求項１１に記載の加工室の温度制御方法。
【請求項１３】
前記ウェハを加工することはエピタキシャル付着を含み、前記ウェハの温度は目標温度の約４℃以内で変化する請求項１１に記載の加工室の温度制御方法。
【請求項１４】
前記ウェハを加工することはポリシリコン付着を含み、前記ウェハの温度は目標温度の約１℃以内で変化する請求項１１に記載の加工室の温度制御方法。
【請求項１５】
前記ウェハを加工することはドーパント活性化を含み、前記ウェハの温度は目標温度の約５０℃以内で変化する請求項１１に記載の加工室の温度制御方法。
【請求項１６】
前記温度制御装置は、前記ウェハを加工する間に前記非接触式温度センサからの温度測定値に応答する請求項１１に記載の加工室の温度制御方法。
【請求項１７】
加工室と、
加工室内の基板支持体と、
加工室内の基板を加熱するために配置された少なくとも１つの加熱素子と、
加工室内に支持されている基板の温度を測定するために配置された非接触式温度センサと、
加工室内に支持された基板に熱的に結合されるべき接触式温度センサと、
基板の温度を制御するために前記加熱素子及び前記非接触式温度センサに接続され、更に、非接触式センサの応答を調節するために前記接触式センサにも接続された温度制御装置とを含む半導体加工装置。
【請求項１８】
前記加工室は、化学蒸着のために構成された室を含む請求項１７に記載の半導体加工装置。
【請求項１９】
加工室内の非接触式センサを較正する方法であって、
接触式センサを使用して、工程の定常状態における加工室内の対象物の温度を測定すること、
ほぼ同時に非接触式センサを使用して対象物の温度を測定すること、
接触式センサからの測定値を非接触式センサからの測定値と比較すること、および
前記比較に基づいて非接触式センサの測定値に対する温度制御装置の応答を調節することを含み、
前記調節は、対象物に対する現行の加工レシピの反復を行った後に、行われることを特徴とするセンサ較正方法。
【請求項２０】
前記の調節が、非接触式センサからの読み取りデータの調節によって行われる請求項１９に記載のセンサ較正方法。
【請求項２１】
前記非接触式センサからの読み取りに応答して加熱素子を前記温度制御装置で制御することをさらに含む請求項１９に記載のセンサ較正方法。
【請求項２２】
前記非接触式センサからの読み取りに応答して制御することは、温度上昇中及びウェハの加工中に制御することを含む請求項２１に記載のセンサ較正方法。
【請求項２３】
前記非接触式センサからの読み取りに応答して制御することは、温度上昇中に制御することを含み、さらに、前記接触式センサからの読み取りに応答して前記加熱要素を前記温度制御装置で制御することを含む請求項２１に記載のセンサ較正方法。
【請求項２４】
一連の温度サイクルにおいて複数の被加工物を加工する方法であって、少なくとも１つの温度サイクルは、
少なくとも１つの基板を加工室に装荷すること、
前記基板の温度を、少なくとも前記温度サイクルの少なくとも１つの工程中に第１の温度センサに応答する温度制御装置により制御すること、
同時に取られる前記第１の温度センサからの信号と第２の温度センサからの信号とを比較することにより前記第１の温度センサを較正すること、
前記加工物を上昇した温度において加工すること、および
前記基板を前記加工室から取り出すことを含む加工方法。
【請求項２５】
前記第１の工程は温度上昇を含み、前記較正のために比較される信号は上昇した処理温度において取られる請求項２４に記載の加工方法。
【請求項２６】
前記較正のために比較される信号は、設定値プラトー部の温度において取られる請求項２５に記載の加工方法。
【請求項２７】
前記温度制御装置は、前記サイクルの間中、前記第１の温度センサからの信号に応答する請求項２５に記載の加工方法。
【請求項２８】
前記第１の温度センサは光高温計を含み、前記第２の温度センサは熱電対を含む請求項２５に記載の加工方法。
【請求項２９】
前記被加工物を加工することは、化学蒸着を行うことを含む請求項２４に記載の加工方法。
【請求項３０】
前記第１の温度センサは複数の非接触式温度センサを含み、前記第２の温度センサは対応する複数の接触式温度センサを含む請求項２４に記載の加工方法。
【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】
遊技機のボックス装着部に、制御基板を有する基板ボックスが装着された遊技機であって、
前記基板ボックスの制御基板の実装面が前記ボックス装着部に対向する装着位置と、
同装着位置から回動変位した回動位置とに配置切換可能に、
前記ボックス装着部に対し前記基板ボックスが、
その一側近傍を回動支点として回動可能に装着されていることを特徴とする遊技機。
【請求項２】
請求項１に記載の遊技機であって、基板ボックスの制御基板の実装面には、
基板ボックスから露出しかつ接続線の端末コネクタが差し込まれる基板コネクタが配設される一方、
ボックス装着部には、
前記基板ボックスが回動位置から装着位置に向けて回動されるときに前記基板コネクタに対し前記端末コネクタを所定の差し込み位置に向けて押し付ける突出部が形成されていることを特徴とする遊技機。
【手続補正書】
【提出日】平成20年10月10日(2008.10.10)
【手続補正１】
【補正対象書類名】明細書
【補正対象項目名】特許請求の範囲
【補正方法】変更
【補正の内容】
【特許請求の範囲】
【請求項１】  予め定められた特別遊技の上限特典に対して、遊技者が前記特別遊技を行って獲得した特典が達しなかった場合に、前記特別遊技の特典とは異なる遊技者に有利となる代償特典が付与される遊技機において、
前記特別遊技の発生に伴い、前記代償特典を要求するか否かの報知と、該代償特典を要求する場合は、当該特別遊技において遊技者に与えられた前記特典の一部を放棄することが前記代償特典の付与条件である旨の報知とを行う報知手段と、
前記特別遊技の終了に伴い、遊技者が前記代償特典の付与条件を成立させたか否かを判定し、前記付与条件が成立している場合に、前記特別遊技とは異なる代償特典を付与する代償特典付与手段と
を備えたことを特徴とする遊技機。
【請求項２】  請求項１に記載の遊技機において、
前記代償特典付与手段が、
前記代償特典の要求を遊技者に確認させる確認手段と、
遊技者が通常遊技中に遊技を行うために操作する通常遊技操作部を用いて予め定めた確認手段による確認条件を成立させた場合に代償特典の付与を実施する手段と
を備えた構成とする遊技機。
【請求項３】  請求項１に記載の遊技機において、
前記代償特典の大きさは、遊技者が放棄した前記特典の大きさに応じたものとする構成とする遊技機。
【請求項４】  請求項１ないし請求項３記載の遊技機において、
前記代償特典が付与された場合の前記特別遊技を発生させる期待値の増分は、前記代償特典が付与される前の前記特別遊技を発生させる期待値に、遊技者が放棄した前記特典の大きさに釣り合う分とする遊技機。
【手続補正書】
【提出日】平成20年10月22日(2008.10.22)
【手続補正１】
【補正対象書類名】明細書
【補正対象項目名】特許請求の範囲
【補正方法】変更
【補正の内容】
【特許請求の範囲】
【請求項１】  演出機能を備える遊技機であって、
対向する位置あるいはその位置の近傍に設置された他の遊技機からの指令信号を受信可能な受信手段と、
受信した前記指令信号に基づいて補助演出を実行可能な補助演出実行手段と、
遊技中に所定条件が成立したときに主演出を実行する主演出実行手段と、
前記主演出が実行される際に、前記他の遊技機に対して補助演出の指令信号を出力可能な送信手段と、
を有することを特徴とする遊技機。
【請求項２】  請求項１に記載の遊技機であって、
主演出及び補助演出は音を使用して行われる構成であることを特徴とする遊技機。
【請求項３】  請求項１又は請求項２のいずれかに記載の遊技機であって、
前記送信手段は赤外線の放射を利用して補助演出の指令信号を出力可能な構成であることを特徴とする遊技機。
【請求項４】  請求項１から請求項３のいずれかに記載の遊技機であって、
遊技の主的制御を行うメイン制御部と、遊技の補助的制御を行うサブ制御部とを有しており、
サブ制御部が前記主演出実行手段及び前記補助演出実行手段として動作可能に構成されていることを特徴とする遊技機。
【請求項５】  請求項１から請求項４のいずれかに記載の遊技機であって、
前記主演出実行手段による主演出の実行が前記補助演出実行手段による補助演出の実行よりも優先される構成であることを特徴とする遊技機。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
連続鋳造機の鋳型内の湯面レベルを検出する湯面レベル計と、該湯面レベル計により検出される湯面レベルと予め設定した設定湯面レベルとに基づいてタンディッシュに設けられたスライディングノズルの開度指令を出力する制御装置と、前記湯面レベル計により検出される湯面レベルに基づいて或る特定の周波数帯の外乱を補償するための制御演算を行う外乱補償器と、を備えた鋳型内湯面レベル制御装置を用いて、鋳型内の湯面レベルを前記設定湯面レベルと一致するように制御する鋳型内湯面レベル制御方法において、前記外乱補償器の設定周波数を、鋳造速度または湯面レベルの変動周波数に基づいて変更することを特徴とする、連続鋳造機の鋳型内湯面レベル制御方法。
【請求項２】
前記外乱補償器を、湯面レベル信号の位相を進めるフィルタで構成するか、或いは、湯面レベル信号の位相を進めるフィルタと、低周波のノイズをカットするハイパスフィルタ及び／または高周波のノイズをカットするローパスフィルタと、で構成し、構成されたそれぞれの外乱補償器について設定周波数を変更することを特徴とする、請求項１に記載の連続鋳造機の鋳型内湯面レベル制御方法。
【請求項３】
請求項１または請求項２に記載の連続鋳造機の鋳型内湯面レベル制御方法を用いて鋳型内の湯面レベルを制御しながらスラブ鋳片を製造することを特徴とする、連続鋳造鋳片の製造方法。
【手続補正２】
【補正対象書類名】明細書
【補正対象項目名】０００８
【補正方法】変更
【補正の内容】
【０００８】
上記課題を解決するための第１の発明に係る連続鋳造機の鋳型内湯面レベル制御方法は、連続鋳造機の鋳型内の湯面レベルを検出する湯面レベル計と、該湯面レベル計により検出される湯面レベルと予め設定した設定湯面レベルとに基づいてタンディッシュに設けられたスライディングノズルの開度指令を出力する制御装置と、前記湯面レベル計により検出される湯面レベルに基づいて或る特定の周波数帯の外乱を補償するための制御演算を行う外乱補償器と、を備えた鋳型内湯面レベル制御装置を用いて、鋳型内の湯面レベルを前記設定湯面レベルと一致するように制御する鋳型内湯面レベル制御方法において、前記外乱補償器の設定周波数を、鋳造速度または湯面レベルの変動周波数に基づいて変更することを特徴とするものである。
【手続補正３】
【補正対象書類名】明細書
【補正対象項目名】０００９
【補正方法】変更
【補正の内容】
【０００９】
第２の発明に係る連続鋳造機の鋳型内湯面レベル制御方法は、第１の発明において、前記外乱補償器を、湯面レベル信号の位相を進めるフィルタで構成するか、或いは、湯面レベル信号の位相を進めるフィルタと、低周波のノイズをカットするハイパスフィルタ及び／または高周波のノイズをカットするローパスフィルタと、で構成し、構成されたそれぞれの外乱補償器について設定周波数を変更することを特徴とするものである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、第３の発明に係る連続鋳造鋳片の製造方法は、第１または第２の発明に記載の連続鋳造機の鋳型内湯面レベル制御方法を用いて鋳型内の湯面レベルを制御しながらスラブ鋳片を製造することを特徴とするものである。
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
遊技機本体の前面側に設けられ、当該遊技機本体の側部において開閉可能に支持される前面扉と、
前記遊技機本体に設けられ、前記前面扉との係合状態を作り出すことに基づき、前記遊技機本体に対し閉鎖状態にある前記前面扉の開放を規制する施錠手段と、
前記遊技機本体に対する前記前面扉の開放によって前記前面扉に所定量以上の移動が生じた場合に、前記前面扉の開放を検知する前面扉開放検知手段と、
前記前面扉開放検知手段にて前記前面扉の開放が検知されると、前面扉開放信号を出力する前面扉開放信号出力手段とを備え、
前記施錠手段は、前記前面扉を開放するための解錠操作に連動して位置が変化する位置変化部を有し、当該位置変化部の位置変化により前記係合状態を解除して、前記前面扉の開放を許容するよう構成された遊技機において、
前記位置変化部の位置変化を検知する前面扉解錠検知手段と、
前記前面扉解錠検知手段にて前記位置変化が検知されると、前面扉解錠信号を出力する前面扉解錠信号出力手段とを備え、
前記前面扉解錠信号出力手段は、前記前面扉開放信号出力手段にて前記前面扉開放信号が出力されるまで、前記前面扉解錠信号の出力を継続するよう構成されていることを特徴とする遊技機。
【請求項２】
請求項１に記載の遊技機において、
前記前面扉解錠信号出力手段にて前記前面扉解錠信号が出力された後、所定時間が経過する間に前記前面扉開放信号出力手段によって前記前面扉開放信号が出力されたか否かを判定する判定手段を備えていることを特徴とする遊技機。
【請求項３】
遊技機本体の外形を構成する外枠の側部において開閉可能に支持され、着脱可能な遊技盤及び遊技に関する制御を行う制御基板を有する内枠と、
前記内枠に設けられ、前記外枠との係合状態を作り出すことに基づき、前記外枠に対し閉鎖状態にある前記内枠の開放を規制する施錠手段と、
前記外枠に対する前記内枠の開放によって前記内枠に所定量以上の移動が生じた場合に、前記内枠の開放を検知する内枠開放検知手段と、
前記開放検知手段にて前記内枠の開放が検知されると、内枠開放信号を出力する内枠開放信号出力手段とを備え、
前記施錠手段は、前記内枠を開放するための解錠操作に連動して位置が変化する位置変化部を有し、当該位置変化部の位置変化により前記係合状態を解除して、前記内枠の開放を許容するよう構成された遊技機において、
前記位置変化部の位置変化を検知する内枠解錠検知手段と、
前記内枠解錠検知手段にて前記位置変化が検知されると、内枠解錠信号を出力する内枠解錠信号出力手段とを備え、
前記内枠解錠信号出力手段は、前記内枠開放信号出力手段にて前記内枠開放信号が出力されるまで、前記内枠解錠信号の出力を継続するよう構成されていることを特徴とする遊技機。
【請求項４】
請求項３に記載の遊技機において、
前記内枠解錠信号出力手段にて前記内枠解錠信号が出力された後、所定時間が経過する間に前記内枠開放信号出力手段によって前記内枠開放信号が出力されたか否かを判定する判定手段を備えていることを特徴とする遊技機。
【手続補正書】
【提出日】平成20年2月12日(2008.2.12)
【手続補正１】
【補正対象書類名】明細書
【補正対象項目名】００３０
【補正方法】変更
【補正の内容】
【００３０】
紫外線の照射は、波長１８５ｎｍと２５４ｎｍの基線スペクトルを放射する低圧水銀蒸気放電灯および／または波長領域１８０〜４００ｎｍの連続スペクトルを放射する中圧・高圧水銀蒸気放電灯の紫外線発生光源を用いて行われるのが好ましい。また、このような紫外線発生光源は、上記の波長領域の紫外線を照射し得るものであれば特に限定されず、例えば、オゾン紫外線式高速水処理装置などが挙げられる。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
巻き紙用ホルダーの紙ロール受け軸に紙ロールを回転自在に支持させ、該紙ロールの巻き本体の上方に巻き紙分離板を位置させ、該巻き紙分離板の上面を通過させて紙ロールの巻き端を繰り出し自在に構成することにより、紙ロールの巻き端と巻き本体との間に巻き紙の巻き紙分離板を入れた状態で、常に紙ロールの巻き端が巻き本体から離されていることを特徴とする巻き紙ホルダー。
【請求項２】
紙ロールの巻き端と巻き本体との間に入れた巻き紙分離板の途中に凹みを付け、その凹みの上を引き出されている紙を凹み部分に沿って篏る突起で押し込み、その先にある切り取り位置で必要長さの紙を切り取ることを特徴とする請求項１に記載の巻き紙ホルダー。
【請求項３】
巻き紙分離板の上面に上蓋を上下自在に設け、必要長さの紙を引き出した後、上蓋を押さえて紙を切り取り、上蓋を押さえた手を離すと元の位置に上蓋が上がるようにし、紙ロールの巻き端と巻き本体との間に入れた巻き紙分離板の途中に凹みを付け、その凹みの上に引き出されている紙を、凹み部分に沿うように嵌る押さえ用の突起を上蓋の裏に設け、該上蓋の下動により紙が凹み部分に沿うように突起で押し込まれ、その先にある切り取り位置で紙が切り取られた後、紙を押し込んだ突起がバネなどを利用した力で凹み部分から外れ、上蓋裏の突起部に付く蹴り出しによって凹みに入り込んだ分量の紙が凹み部分から繰り出て紙の切り取り位置より長く端が出ることを特徴とする請求項１に記載の巻き紙ホルダー。
【請求項４】
巻き紙を取り付け、または取り外すときに、巻き端と巻き本体との間に入れる分離板と凹み部分に押し込む突起のある押さえ板が、紙ロールの脱着が容易に出来るような位置に可働できることを特徴とする請求項１に記載の巻き紙ホルダー。
【手続補正２】
【補正対象書類名】明細書
【補正対象項目名】全文
【補正方法】変更
【補正の内容】
【発明の詳細な説明】
【発明の名称】巻き紙用ホルダー。
【技術分野】
【０００１】本発明は、巻き紙の切り端が掴み易い巻き紙用ホルダーに係わり、  巻き紙用ホルダーから必要長さの紙を切り取った後の、巻き紙本体側の切り端を容易に掴むことが出来る巻き紙用ホルダーに関するものである。
【背景技術】
【０００２】従来、便所などにある排便後の拭き取り用として、必要な長さの紙を引き出し、蓋を押さえて切り取り使用する巻き紙用ホルダーがある。
【発明の開示】
【発明が解決しようとする課題】
【０００３】巻き紙用ホルダーから必要長さの紙を引き出して上蓋を押さえて切り取り、再び紙を引き出そうとするとき、切り端が巻き本体に押し付けられて切られているため、巻き紙の端口を掴み取ることに難しさがあった。
本発明は以上の問題を解決し、従来と殆ど変わらぬ紙の切り取り操作と、楽に確実な掴み取りが出来るようになされたものである。
【課題を解決するための手段】
【０００４】  本発明は、掴み取りの問題を解決するため、次のような手段をこうじた。
（Ａ）巻き端と巻き本体との間に分離用の板が入るようにした。
（Ｂ）必要長さの紙を引き出した後、上蓋を押さえて紙を切り取り、上蓋を押さえた手を離すと元の位置に上蓋が上がるようにした。
（Ｃ）分離用の板の途中に凹みを付けて紙を凹みに沿って押し込むような突起部分を上蓋裏につくり、上蓋を押さえて必要長さ分の切り取り後、紙の切り端が押し込まれた長さ分だけ多く取り込まれ、また突起部の手前側に蹴り出し用の当たりを付け、押し込んだ紙の凹み部の手前側との隙間を無くすことにより、押さえた手を離すと押し込んだ紙が蹴り出され、切り取り位置より紙端が長く垂れ下がるようにした。
（Ｄ）巻き紙の分離用の板および凹みに押し込むための突起を巻き紙の脱着が容易に出来るよう可動式にした。
本発明は以上よりなる巻き紙用ホルダーである。
【発明の効果】
【０００５】本発明を使用するときに容易な掴み取りが出来るため、巻き紙の切り口の掴み取りに不自由を感じていた人への抵抗感の払拭が出来る。また卓上用、料理用などのロールペーパーホルダーとしての普及拡大ができる。
【発明を実施するための最良の形態】
【０００６】以下、本発明の実施の形態を説明する。
符号（１）は巻き紙用ホルダーの本体であり、紙ロール（２）を紙ロール受け軸（３）に回転自在に支持させる。（５）は紙ロールの巻き本体（２ａ）の上方に配置される巻き紙分離板で、巻き紙分離板取り付け軸（６）で上方に回動自在にされ、下方への移動を巻き紙分離板定位置止め（７）で固定されている。（４）は巻き紙分離板（５）の上方に配置された上蓋で、巻き紙用ホルダーの本体（１）間に設けた上蓋取り付け軸（９）で回動自在にされ、上蓋上げバネ（８）で上方に付勢されている。（１０）は上蓋（４）の裏に設けた紙押し込み突起部、（１１）は紙ロールの巻き端を切るカット部、（１２）は紙押し込み突起部（１０）に設けた蹴り出しである。巻き紙分離板（５）の上面には紙押し込み突起部（１０）が嵌る凹み部（５ａ）が設けてある。
紙ロール（２）の巻き本体（２ａ）から巻き紙端（２ｂ）を引き出して、巻き紙分離板（５）の上に掛けるよう紙ロール（２）を本体（１）に装着し、使用時は巻き紙端（２ｂ）を必要長さに引き出して上蓋（４）を押さえると上蓋裏にある紙押し込み突起部（１０）で紙が巻き紙分離板（５）の途中にある凹み部（５ａ）に押し込まれ、その状態で上蓋（４）先端のカット部（１１）と巻き紙分離板（５）との間に挟まれて引き出されている紙を切り取る。
その後、上蓋（４）を押さえている手を離すと上蓋上げバネ（８）の力で紙押し込み突起部（１０）が凹み部（５ａ）から離れ、同時に凹み部（５ａ）に押し込まれた長さ分の紙が、突起部（１０）の蹴り出し（１２）により送り出され、その長さ分がカット位置から多く垂れ下がる。あるいは紙質などにより垂れ下がりにくい場合においても切り端口が巻き紙分離板（５）で剥離されており、凹み部分に押し込まれた長さ分の紙の引き抵抗が軽減されているため、確実に容易な掴み取りの実施が出来る。
本発明は以上の構成よりなる。
【図面の簡単な説明】
【０００７】
【図１】本発明の要部の側面断面図
【図２】本発明の要部の切り取り時の拡大の側面断面図
【符号の説明】
【０００８】（１）本体。
（２）紙ロール
（３）紙ロール受け軸
（４）上蓋
（５）巻き紙分離板
（６）巻き紙分離板取り付け軸
（７）巻き紙分離板定位置止め
（８）上蓋上げバネ
（９）上蓋取り付け軸
（１０）紙押し込み突起部
（１１）カット部
（１２）蹴り出し
（２ａ）巻き本体
（２ｂ）巻き紙端
（５ａ）凹み部
【手続補正３】
【補正対象書類名】図面
【補正対象項目名】全図
【補正方法】変更
【補正の内容】
【図１】
2006263404.tif 000001
【図２】
2006263404.tif 000002
【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
所定の幅、厚みおよび奥行を有するハウジングと、ハウジングの底面に形成されたハウジングの幅方向に長手の主吸込口と、ハウジングの前面に形成され、主吸込口とつながった副吸込口と、筒状部材であって、その一端はハウジングに対し、筒状部材の突出方向が変位可能に連結されていて、その他端側はハウジングから突出している接続筒とを備える吸込具と、
接続筒の他端側に一端が連結され、その他端は操作部に連結された長手の吸込パイプと、
操作部と電動送風機が内蔵された掃除機本体との間を接続する可撓性を有する吸込ホースと、
操作部に備えられたグリップと、
を含む電気掃除機であって、
前記吸込パイプをその軸回りにひねることにより、前記吸込具の姿勢を、主吸込口が被清掃面に対向した状態でハウジングを奥行方向前後へ移動させ得る基本姿勢と、副吸込口が被清掃面に対向した状態でハウジングを幅方向前後へ移動させ得る起立姿勢とに切り換えることができることを特徴とする、電気掃除機。
【請求項２】
前記吸込パイプは、前記グリップを回動させることによってひねることができることを特徴とする、請求項１記載の電気掃除機。
【請求項３】
前記操作部には、前記吸込ホースの一端を操作部に対してホースの軸回りに回動自在に連結する回動機構が備えられていることを特徴とする、請求項２記載の電気掃除機。
【請求項４】
前記接続筒には、接続筒の一端側と、接続筒の他端側に連結された前記吸込パイプとを、互いに回動可能に連結する連結装置が備えられていることを特徴とする、請求項１記載の電気掃除機。
【請求項５】
前記吸込パイプの途中部には、吸込パイプの一端側と他端側とを互いに回動可能に連結する連結装置が備えられていることを特徴とする、請求項１記載の電気掃除機。
【請求項６】
前記連結装置は、吸込パイプの他端寄りで、操作部の近傍に設けられていることを特徴とする、請求項５記載の電気掃除機。
【請求項７】
前記吸込具のハウジング内には、ハウジングの幅方向に延びる回転軸を有し、主吸込口および副吸込口に臨む回転ブラシと、
回転ブラシを回転させるためのモータとが備えられていることを特徴とする、請求項１〜６のいずれかに記載の電気掃除機。
【請求項８】
前記吸込具が起立姿勢において、吸込具が基本姿勢のときとモータの駆動の仕方を変える制御手段が備えられていることを特徴とする、請求項７記載の電気掃除機。
【請求項９】
前記制御手段は、吸込具が起立姿勢において、前記回転ブラシの回転が停止するようモータを制御することを特徴とする、請求項８記載の電気掃除機。
【請求項１０】
前記制御手段は、吸込具が起立姿勢において、吸込具が基本姿勢のときと、回転ブラシの回転方向が逆になるようにモータを制御することを特徴とする、請求項８記載の電気掃除機。
【請求項１１】
電気掃除機本体に接続され、床面上の塵埃を吸い込んで、上記電気掃除機本体側へ送るための電気掃除機用吸込具であって、
所定の厚みを有し、その厚み方向に略直交する一方向に沿って長尺形状に形成され、上記厚み方向の一方面としての底面に、床面上の塵埃を吸い込むための吸込口が形成された吸込部と、
上記吸込部に回動可能に接続され、上記吸込口から吸い込まれた塵埃を上記電気掃除機本体側へ送るための接続管と、
上記接続管の上記吸込部と反対側に形成され、上記接続管とともに上記吸込部を床面に沿って移動させるために把持される把持部とを備え、
上記吸込部は、上記把持部を回転させることなく、上記接続管に対して、上記底面が床面に対向する基本姿勢と、上記厚み方向に略直交する短手方向の一方面が床面に対向する状態で直立した直立姿勢との間で回動可能であることを特徴とする電気掃除機。
【請求項１２】
上記接続管の途中部に介装され、上記接続管の上記吸込部側と上記把持部側とを互いに回転可能に連結する連結装置をさらに備え、
上記吸込部は、上記連結装置により上記接続管の上記吸込部側と上記把持部側とが互いに回転されることで、上記把持部を回転させることなく、上記接続管に対して、上記基本姿勢と上記直立姿勢との間で回動可能であることを特徴とする請求項１１記載の電気掃除機。
【請求項１３】
上記吸込部が上記直立姿勢となった状態で上記連結装置の回転位置を保持する連結装置保持手段をさらに備えることを特徴とする請求項１２記載の電気掃除機。
【請求項１４】
上記吸込部を、上記接続管に対して、上記直立姿勢において平面視で上記接続管が延びる方向に長手方向が沿った回動位置で保持する吸込部保持手段をさらに備えることを特徴とする請求項１３記載の電気掃除機。
【請求項１５】
上記連結装置保持手段が上記連結装置の回転位置を保持する保持力は、上記吸込部保持手段が上記吸込部の回動位置を保持する保持力よりも大きいことを特徴とする請求項１４記載の電気掃除機。
【請求項１６】
上記吸込部を、上記接続管に対して、上記直立姿勢において平面視で上記接続管が延び
る方向に長手方向が沿った回動位置で保持する吸込部保持手段をさらに備えることを特徴とする請求項１１または１２記載の電気掃除機。
【請求項１７】
上記接続管は、上記吸込部の上記短手方向の他方面における長手方向および厚み方向の中央部に回動可能に接続されていることを特徴とする請求項１１〜１６のいずれかに記載の電気掃除機。
【請求項１８】
上記吸込部の上記短手方向の一方面には、上記吸込部が上記直立姿勢のときに床面上の塵埃を吸い込むためのサブ吸込口が形成されていることを特徴とする請求項１１〜１７のいずれかに記載の電気掃除機。
【手続補正２】
【補正対象書類名】明細書
【補正対象項目名】発明の名称
【補正方法】変更
【補正の内容】
【発明の名称】電気掃除機
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
遊技球が転動流下する遊技領域を備えた遊技盤と、
前記遊技盤の背面側に配置され、所定の画像を表示する表示装置と、
前記遊技盤および前記表示装置が取り付けられる本体と、
前記本体に設けられ、前記表示装置の前面上部を覆うとともに前記表示装置の前面側で前記遊技盤を前記本体へ係止する係止部と、
前記本体に設けられ、前記表示装置の下端が載置されて当該表示装置の下端を支持する支持部と、
を有し、
前記表示装置は、前記本体に対して前方向から取り付けられ、下端が前記支持部に載置された状態で前面上部が前記係止部により前方向への動きが規制されることにより前記本体へ仮固定される、
ことを特徴とする遊技機。
【請求項２】
前記本体の前面には、前記表示装置を収容して取り付けるための凹部が形成され、
前記凹部の上部には、前方に突出して前記表示装置の上方向への移動を規制する上方向移動規制段部が設けられ、
前記係止部は、前記表示装置を仮固定したときに前記係止部により当該表示装置の前面上部が覆われる長さだけ前記上方向移動規制段部の下面よりも下方に突出して設けられている、
ことを特徴とする請求項１記載の遊技機。
【請求項３】
前記凹部には複数の孔が形成されている、
ことを特徴とする請求項２に記載の遊技機。
【請求項４】
前記表示装置にはネジ穴が、前記本体には当該ネジ穴に対応した取付ボスが、それぞれ設けられ、
前記表示装置が前記本体に仮固定された位置において、前記表示装置に設けられたネジ穴と前記本体に設けられた取付ボスとが一致する、
ことを特徴とする請求項１、２または３記載の遊技機。
【手続補正２】
【補正対象書類名】明細書
【補正対象項目名】０００７
【補正方法】変更
【補正の内容】
【０００７】
上記課題を解決するため、請求項１に記載の本発明の遊技機は、遊技球が転動流下する遊技領域を備えた遊技盤と、前記遊技盤の背面側に配置され、所定の画像を表示する表示装置と、前記遊技盤および前記表示装置が取り付けられる本体と、前記本体に設けられ、前記表示装置の前面上部を覆うとともに前記表示装置の前面側で前記遊技盤を前記本体へ係止する係止部と、前記本体に設けられ、前記表示装置の下端が載置されて当該表示装置の下端を支持する支持部とを有し、前記表示装置は、前記本体に対して前方向から取り付けられ、下端が前記支持部に載置された状態で前面上部が前記係止部により前方向への動きが規制されることにより前記本体へ仮固定される、ことを特徴とする。
【手続補正３】
【補正対象書類名】明細書
【補正対象項目名】０００８
【補正方法】変更
【補正の内容】
【０００８】
このように、本体に備えられた係止部と支持部とによって遊技盤の係止（すなわち固定）と表示装置の仮固定とが行われるので、遊技盤固定部材としての係止部の機能が表示装置の仮固定にまで広がり、汎用性の向上を図ることが可能になる。
表示装置は本体に対して前方向から取り付けられるので、着脱作業の際に、電子部品の搭載された基板等が障害とならず、容易に着脱作業を行うことができる。
表示装置の一部を係止部で覆うようにするだけで表示装置の取り付け方向である前方向への動きが規制されるので、表示装置の仮固定を容易に行うことが可能になる。
係止部によって表示装置の前面上部が覆われるようになっているので、表示装置が前方向（手前側）に倒れにくくなり、表示装置の本体に対する仮固定を安定させることが可能になる。
表示装置の前面上部を係止部に係止させるとともに、表示装置の下端を支持部に載置させることで、当該表示装置の本体に対する仮固定が行われるようになっているので、係止部による表示装置の上端の係止および下端の載置のみで、表示装置の本体に対する仮固定を行うことができ、表示装置を本体に仮固定するための作業スペースを抑制することができるとともに、表示装置を本体に仮固定するための部材等の設置スペースを抑制することが可能になる。
【手続補正４】
【補正対象書類名】明細書
【補正対象項目名】０００９
【補正方法】変更
【補正の内容】
【０００９】
請求項２に記載の本発明は、請求項１に記載の発明の構成に加えて、前記本体の前面には、前記表示装置を収容して取り付けるための凹部が形成され、前記凹部の上部には、前方に突出して前記表示装置の上方向への移動を規制する上方向移動規制段部が設けられ、前記係止部は、前記表示装置を仮固定したときに前記係止部により当該表示装置の前面上部が覆われる長さだけ前記上方向移動規制段部の下面よりも下方に突出して設けられている、ことを特徴とする。
【手続補正５】
【補正対象書類名】明細書
【補正対象項目名】００１０
【補正方法】変更
【補正の内容】
【００１０】
表示装置は上方向移動規制段部によって上方向の移動が規制されるので、表示装置を安定した固定状態に維持できるとともに、上方向移動規制段部により本体の剛性を更に大きくすることができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項３に記載の本発明は、請求項２に記載の発明の構成に加えて、前記凹部には複数の孔が形成されている、ことを特徴とする。
【手続補正８】
【補正対象書類名】明細書
【補正対象項目名】００１３
【補正方法】変更
【補正の内容】
【００１３】
これにより、本体の内側に滞留する熱を複数の孔から放熱させることができるので、放熱効果を向上させることが可能になる。
【手続補正９】
【補正対象書類名】明細書
【補正対象項目名】００１４
【補正方法】変更
【補正の内容】
【００１４】
請求項４に記載の本発明は、請求項請求項１、２または３記載の発明の構成に加えて、前記表示装置にはネジ穴が、前記本体には当該ネジ穴に対応した取付ボスが、それぞれ設けられ、前記表示装置が前記本体に仮固定された位置において、前記表示装置に設けられたネジ穴と前記本体に設けられた取付ボスとが一致する、ことを特徴とする。
【手続補正１０】
【補正対象書類名】明細書
【補正対象項目名】００１５
【補正方法】変更
【補正の内容】
【００１５】
これにより、表示装置は位置決めされた状態で仮固定されるので、次の作業を容易に行うことができる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
電磁波を照射する手段と、超音波を照射する手段と、生体内でプラズマを発生させるためのプラズマ発生手段を有する医療用治療装置。
【請求項２】
前記プラズマ発生手段が、金属、弾性材料または超弾性材料で作られたワイヤーである請求項１に記載の医療用治療装置。
【請求項３】
前記ワイヤーを生体内に挿入して使用するものであり、これに電磁波を供給してプラズマを発生させることを特徴とする請求項２に記載の医療用治療装置。
【請求項４】
電磁波に併せて前記ワイヤーに超音波振動を与えることにより、このワイヤーを電極として生体内に高周波プラズマを発生させる請求項２または請求項３に記載の医療用治療装置。
【請求項５】
前記ワイヤーを血管内に入れるための内部が空洞のカテーテルを備え、血管内部でプラズマを発生させることを特徴とする請求項３または請求項４に記載の医療用治療装置。
【請求項６】
前記カテーテルに、プラズマ発生によって粉砕、凝固、分解された血栓や結石を吸引する装置を有する請求項５に記載の医療用治療装置。
【請求項７】
前記カテーテルに生体内部に薬剤を投入する投入口を有する請求項５に記載の医療用装置。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
可視光応答型光触媒を用いる太陽光利用の水処理方法において、該可視光応答型光触媒を、被処理水中で太陽光からの可視光の照射強度が０．１〜１０μW／ｃｍ２の位置に設置し、被処理水を該光触媒と接触させることを特徴とする可視光応答型光触媒を用いる水処理方法。
【請求項２】
可視光応答型光触媒を用いる太陽光利用の水処理方法において、該可視光応答型光触媒は、形状が凹凸状で、凸部の高さが水深Dに対して０．２D〜１．３Dであり、被処理水を該光触媒と接触させることを特徴とする可視光応答型光触媒を用いる水処理方法。
【手続補正２】
【補正対象書類名】明細書
【補正対象項目名】発明の名称
【補正方法】変更
【補正の内容】
【発明の名称】光触媒を用いる水処理方法
【手続補正３】
【補正対象書類名】明細書
【補正対象項目名】０００１
【補正方法】変更
【補正の内容】
【０００１】
本発明は、可視光応答型光触媒を用いる太陽光利用による水処理方法に関する。
本発明は、製薬、医薬、農薬、食品、半導体のような各種工場における産業廃水、都市下水、上水、バイオマス等の水処理に適用可能である。特に、有害物質が被酸化性物質、例えば有機性物質（有機物）、アンモニアを含む水の酸化処理、細菌や原生動物等有害生物を含む水の殺菌（不活化）、藻類の死滅化、脱色、脱臭を行う方法に関する。
表１に、本発明の用途並びに用途に対応した利用分野の例を示す。
【手続補正４】
【補正対象書類名】明細書
【補正対象項目名】０００５
【補正方法】変更
【補正の内容】
【０００５】
本発明は、上記従来技術に鑑み、太陽光を用いて良好な光触媒活性を発揮させることにより、水中の有害物質を除去することができる水処理方法を提供することを課題とする。
【手続補正５】
【補正対象書類名】明細書
【補正対象項目名】０００６
【補正方法】変更
【補正の内容】
【０００６】
上記課題を解決するために、本発明では、可視光応答型光触媒を用いる太陽光利用の水処理方法において、該可視光応答型光触媒を、被処理水中で太陽光からの可視光の照射強度が０．１〜１０μW／ｃｍ２の位置に設置し、被処理水を該光触媒と接触させることを特徴とする可視光応答型光触媒を用いる水処理方法としたものである。
また、本発明では、可視光応答型光触媒を用いる太陽光利用の水処理方法において、該可視光応答型光触媒は、形状が凹凸状で、凸部の高さが水深Dに対して０．２D〜１．３Dであり、被処理水を該光触媒と接触させることを特徴とする可視光応答型光触媒を用いる水処理方法としたものである。
前記水処理方法において、凹凸部の少なくとも一部が太陽光に照射されていてもよく、また、光触媒は、太陽光に対向して５〜４５度の傾斜面に設置することができる。
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
遊技者の周囲に設けられた複数のスピーカと、
遊技者に対して所定の規則で決定された方向から音が聞こえるように前記複数のスピーカから出力する音量を制御することにより音像を生成する本体と、
操作子と筐体の方向を検出するセンサと前記ランダムに決定された方向と前記センサが検出した方向とのずれが所定の範囲内であり、かつ、前記操作子が操作された場合に前記音像が捕獲されたと判定する判定手段とを具備するコントローラと、
を具備することを特徴とするゲーム装置。
【請求項２】
前記複数のスピーカは、ヘッドフォンの左右においてそれぞれ前方上、前方下、後方上、後方下に配置されていることを特徴とする請求項１に記載のゲーム装置。
【請求項３】
前記複数のスピーカは、部屋の天井と床面のそれぞれ４角に配置されていることを特徴とする請求項１に記載のゲーム装置。
【請求項４】
前記コントローラのセンサは、筐体に設定された２軸方向の磁界の強さを検出する磁気センサと筐体の傾きを検出する傾きセンサ、又は、筐体に設定された３軸方向の磁界の強さを検出する磁気センサ、又は、筐体に設定された３軸方向の磁界の強さを検出する磁気センサと筐体の傾きを検出する傾きセンサで構成されていることを特徴とする請求項１から３のいずれかの項に記載のゲーム装置。
【請求項５】
前記コントローラは、筐体を向けることにより指定された複数の方向に基づいて、ゲームにおいて基準とする方向を求めることを特徴とする請求項１から４のいずれかの項に記載のゲーム装置。
【手続補正２】
【補正対象書類名】明細書
【補正対象項目名】０００４
【補正方法】変更
【補正の内容】
【０００４】
本発明は上記の課題を解決するためになされたもので、請求項１に記載の発明は、遊技者の周囲に設けられた複数のスピーカと、遊技者に対して所定の規則で決定された方向から音が聞こえるように前記複数のスピーカから出力する音量を制御することにより音像を生成する本体と、操作子と筐体の方向を検出するセンサと前記ランダムに決定された方向と前記センサが検出した方向とのずれが所定の範囲内であり、かつ、前記操作子が操作された場合に前記音像が捕獲されたと判定する判定手段とを具備するコントローラと、を具備することを特徴とするゲーム装置である。
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
被検体内に挿入される挿入部と、前記挿入部の内部に配置され、前記被検体外から印加される磁界に応答してトルクを発生する磁界応答部と、を有する医療装置と、
前記挿入部の挿入方向を検出する方向検出部と、
前記挿入方向の制御に係る情報が入出力されるユーザーインターフェイスと、
前記磁界応答部に作用し、前記挿入部を制御方向に向ける磁界を発生する磁界発生部と、
前記制御方向と前記挿入方向との偏差に基づいて、前記ユーザーインターフェイスを制御するユーザーインターフェイス制御部とを備える医療装置制御システム。
【請求項２】
前記ユーザーインターフェイスには、操作者により前記挿入方向が指示される操作部が備えられ、
該操作部には、前記ユーザーインターフェイス制御部に制御され、前記偏差を前記操作者に伝える偏差情報伝達部が備えられる請求項１記載の医療装置制御システム。
【請求項３】
前記偏差情報伝達部が振動体である請求項２記載の医療装置制御システム。
【請求項４】
前記操作部には、前記制御方向が入力される可動体が備えられ、
前記偏差情報伝達部が、前記可動体の動きに対して反対方向の力を発生させる反力発生部である請求項２記載の医療装置制御システム。
【請求項５】
前記操作部には、前記制御方向が入力される可動体が備えられ、
前記偏差情報伝達部が、前記可動体の動きに対して負荷を発生させる負荷発生部である請求項２記載の医療装置制御システム。
【請求項６】
前記ユーザーインターフェイスには、前記挿入方向と前記偏差とを表示する表示部が備えられ、
前記表示部が、前記ユーザーインターフェイス制御部により制御される請求項１記載の医療装置制御システム。
【請求項７】
前記表示部が、前記挿入方向の情報と前記制御方向の情報とを重ね合わせて表示する請求項６記載の医療装置制御システム。
【請求項８】
前記表示部が、前記挿入方向に対する前記制御方向の偏差を表示する請求項６記載の医療装置制御システム。
【請求項９】
前記磁界発生部を制御する磁界制御部が備えられ、
前記磁界制御部が、前記偏差の値が所定の値以内となるように、前記磁界発生部を制御する請求項１から８のいずれかに記載の医療装置制御システム。
【請求項１０】
前記磁界制御部が、前記所定の値を有限な値で変更する所定値変更部を有する請求項９記載の医療装置制御システム。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】変更
【補正の内容】
【００４７】
本発明の医療装置制御システムによれば、ユーザーインターフェイス制御部が偏差に基づいてユーザーインターフェイスを制御するため、ユーザーインターフェイスを介して偏差に基づく情報を外部に伝達できる。そのため、例えば、ユーザーインターフェイスに制御方向情報を入力する操作者に偏差に基づく情報をフィードバックでき、医療装置（挿入部）の誘導安定性および操作性を向上できるという効果を奏する。
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
金属板の板厚を塑性加工によって増加させる金属板の増厚加工方法であって、
前記金属板の外縁部を内方に押圧して据え込み加工することで、前記外縁部の厚さを増加させる据込工程と、
前記据込工程にて厚さが増加した外縁部の厚さよりも小さな寸法の間隙が設けられた伸展型の前記間隙に前記金属板の前記外縁部を外側から内側に向かって押入して、外縁部の材料を金属板の内方に向かって伸展させる伸展工程と
を備えることを特徴とする金属板の増厚加工方法。
【請求項２】
前記伸展工程は、
前記据込工程にて厚さが増加した外縁部の材料を、間隙が大きな一次伸展型によって金属板の内方に向かって伸展させる一次伸展工程と、
該一次伸展工程によって材料が伸展された部分を、間隙が小さな二次伸展型によって金属板の内方に向かってさらに伸展させる二次伸展工程と
を有する工程として構成されている
ことを特徴とする請求項１に記載の金属板の増厚加工方法。
【請求項３】
内側部分に比して外縁部が厚く形成された金属板を支持台に支持して回転させ、回転する前記金属板の前記外縁部を、前記金属板の前記外縁部の厚さよりも小さな寸法の間隙が設けられた伸展型の前記間隙に外側から内側に向かって押入して、前記外縁部の全周に渡って材料を金属板の内方に伸展させることを特徴とする金属板の増厚加工方法。
【請求項４】
内側部分に比して外縁部が厚く形成された金属板を支持して回転させる支持台と、
前記金属板の前記外縁部の厚さよりも小さな寸法の間隙が設けられた伸展型を有し、前記支持台に支持されて回転する前記金属板の前記外縁部を外側から内側に向かって前記間隙に押入して、前記外縁部の全周に渡って材料を金属板の内方に伸展させる伸展装置と
を備えることを特徴とする金属板の増厚加工機。
【請求項５】
金属板を支持して回転させる支持台と、
該支持台に支持されて回転する前記金属板の外縁部に据込型を内方に向かって押圧して据え込み加工することで前記外縁部の全周に渡って厚さを増加させる据込装置と、
増加した前記外縁部の厚さよりも小さな寸法の間隙が設けられた伸展型を有し、前記支持台に支持されて回転する金属板の縁部を外側から内側に向かって前記間隙に押入して、前記外縁部の全周に渡って材料を金属板の内方に伸展させる伸展装置と
を備えることを特徴とする金属板の増厚加工機。
【請求項６】
前記伸展装置は、
前記金属板の前記外縁部の厚さよりも小さな寸法の間隙が設けられた一次伸展型を有し、前記支持台に支持されて回転する金属板の外縁部を外側から内側に向かって前記一次伸展型の前記間隙に押入して、前記外縁部の全周に渡って材料を金属板の内方に伸展させる一次伸展装置と、
前記一次伸展型の間隙よりも小さな寸法の間隙が設けられた二次伸展型を有し、前記一次伸展装置によって材料が伸展された部分を外側から内側に向かって前記二次伸展型の前記間隙に押入して、前記外縁部の全周に渡って材料を、前記一次伸展装置によって伸展された部分よりも金属板の内方にさらに伸展させる二次伸展装置と
を有するものとして構成されている
ことを特徴とする請求項４または請求項５に記載の金属板の増厚加工機。
【請求項７】
前記支持台に支持されて回転する前記金属板の外縁部の表裏を挟持して、該挟持した部分において金属板の厚さ方向の移動を拘束する拘束装置を備える
ことを特徴とする請求項４から請求項６までの何れか一つに記載の金属板の増厚加工機。